(57)【要約】【課題】この発明は植物を岩石に自然状態で着生させることができるようにした植樹用岩石を提供することにある。【解決手段】  植物を着生させるための植樹用岩石であって、  岩石１の下面に開口して形成され内部に用土４が充填される収容部３と、収容部の開口端に設けられ用土が収容部から落下するのを阻止する保持手段７と、岩石の表面に一端を開口させ他端を収容部に開口させて設けられ岩石の表面に着生する植物１３の根１３ａを収容部に入り込ませる通孔５を具備する。【選択図】      図１
2010207098.tif 000002
【特許請求の範囲】
【請求項１】
植物を着生させるための植樹用岩石であって、
上記岩石の下面に開口して形成され内部に用土が充填される収容部と、
この収容部の開口端に設けられ上記用土が上記収容部から落下するのを阻止する保持手段と、
上記岩石の表面に一端を開口させ他端を上記収容部に開口させて設けられ上記岩石の表面に着生する植物の根を上記収容部に入り込ませる通孔と
を具備したことを特徴とする植樹用岩石。
【請求項２】
上記保持手段は、
上記岩石の上記収容部を形成した周壁の下端部に設けられた支持孔に挿通されて上記収容部の開口を横切る状態で支持されるロッド状の保持部材と、
上記収容部の開口部に上記保持部材によって支持され上記用土が上記収容部の開口から落下するのを防止する通水性を備えた落下防止部材と
によって構成されていることを特徴とする請求項１記載の植樹用岩石。
【発明の詳細な説明】
【技術分野】
【０００１】
この発明は草木などの植物を着生させるための植樹用岩石に関する。
【背景技術】
【０００２】
自然の中では植物が岩石に着生することがある。岩石に植物が着生する場合、岩石の表面に風化によって裂け目ができ、その裂け目が長い年月の間に広がり、そこに風化によってできた砂や風によって運ばれた土、或いは枯葉などが用土として堆積する。岩石の表面に用土が堆積すれば、その用土に風や鳥によって種子が運ばれて生育することがある。
【０００３】
このようにして岩石の表面に植物が着生した状態は自然の景観を呈することになるから、観賞用として貴重なものとなる。
【０００４】
特許文献１には岩石に類似するさんご礁に、その表面から底面まで貫通する複数の穴を設け、その穴に発芽した植物の苗を植え付けるようにした、さんご礁を用いた盆栽が開示されている。
【先行技術文献】
【特許文献】
【０００５】
【特許文献１】特開２００４−２６７０４９号公報
【発明の概要】
【発明が解決しようとする課題】
【０００６】
ところで、特許文献１に示されたさんご礁を用いた盆栽は、さんご礁自体が植物の育成に必要とされる用土をもっていない。そのため、さんご礁に表面から底面に貫通する穴を開け、そのさんご礁を植木鉢に入れられた用土の上に置く。そして、上記さんご礁に形成した穴に植物の根を通し、その根を鉢の用土に張らせるようにしている。
【０００７】
そのため、このような構成によると、植物を育てるためにはさんご礁だけでは足りず、用土が入れられた植木鉢が必ず必要になる。しかも、さんご礁を植木鉢の用土の上に置いて植物を育てるようにすると、その外観はさんご礁に植物が直接着生している自然の状態から大きくかけ離れたものとなるから、好ましくないということがある。
【０００８】
この発明は、岩石に用土を保持させることで、植木鉢を用いずに植物を岩石の表面に着生させることができるようにした植樹用岩石を提供することにある。
【課題を解決するための手段】
【０００９】
この発明は、植物を着生させるための植樹用岩石であって、
上記岩石の下面に開口して形成され内部に用土が充填される収容部と、
この収容部の開口端に設けられ上記用土が上記収容部から落下するのを阻止する保持手段と、
上記岩石の表面に一端を開口させ他端を上記収容部に開口させて設けられ上記岩石の表面に着生する植物の根を上記収容部に入り込ませる通孔と
を具備したことを特徴とする植樹用岩石にある。
【００１０】
上記保持手段は、
上記岩石の上記収容部を形成した周壁の下端部に設けられた支持孔に挿通されて上記収容部の開口を横切る状態で支持されるロッド状の保持部材と、
上記収容部の開口部に上記保持部材によって支持され上記用土が上記収容部の開口から落下するのを防止する通水性を備えた落下防止部材と
によって構成されていることが好ましい。
【発明の効果】
【００１１】
この発明によれば、岩石の下面に開口する収容部を形成し、この収容部と岩石の表面を通孔によって連通させ、しかも上記収容部に用土を設けるようにしたから、岩石の表面に設けられる植物は根を通孔から収容部に通し、その収容部内の用土に張って成長することができる。
【図面の簡単な説明】
【００１２】
【図１】この発明の一実施の形態を示す植物が着生した状態の岩石の断面図。
【図２】岩石の下面図。
【図３】岩石に形成された通孔の部分の拡大断面図。
【図４】この発明の他の実施の形態を示す岩石の断面図。
【図５】岩石の下面図。
【発明を実施するための最良の形態】
【００１３】
以下、この発明の一実施の形態を図面を参照しながら説明する。  
図１は植樹用岩石１を示し、この岩石１は天然の火山岩などの多孔質材料が用いられ、底面２は平坦面となるよう加工されて山形状となっている。なお、岩石１としては天然の火山岩に代えて多孔質セラミックなどのように通水性と通気性を備えた天然の火山岩以外の材料を所望する形状に形成したものであってもよい。
【００１４】
上記岩石１にはその内部をくり貫いて底面２に開口する収容部３が形成されている。この収容部３には水苔、黒土、鹿沼土など、上記岩石１に着生させる植物の種類に応じた用土４が充填される。
【００１５】
上記岩石１には、その表面に一端が開口し、他端が上記収容部３に開口した複数の通孔５が例えばドリル（図示せず）などによって穿設されている。各通孔５には上記収容部３と同様、用土４を充填することが好ましい。なお、通孔５に充填される用土４としては、その通孔５に確実に保持される水苔が好ましく、この実施の形態では水苔が充填される。
【００１６】
上記岩石１に通孔５をドリルによって形成する際、岩石は中実でなく、収容部３が形成されることで中空状になっている。そのため、ドリルによって形成される通孔５の長さが上記収容部３があることで短くなるから、通孔５の穿設作業を容易におこなうことができるばかりか、市販されている通常の長さのドリルを用いて通孔５を穿設することが可能となる。
【００１７】
図１と図２に示すように、上記収容部３の開口部には、収容部３に充填された用土４が脱落するのを防止する保持手段７が設けられる。この保持手段７は、たとえば樹脂製のメッシュなど通水性及び通気性を備えたシート状の材料によって上記収容部３の開口面積とほぼ同じ或いは多少大きめに形成された落下防止部材８と、この落下防止部材８を上記収容部３の開口部に保持する樹脂や金属などの材料によって形成されたロッド状の複数の保持部材９からなる。
【００１８】
上記岩石１の収容部３を形成する周壁の下端部には複数の支持孔１１が収容部３の開口を挟んで収容部３を横切るように形成さている。そして、上記保持部材９は両端部を上記収容部３を横切る一対の支持孔１１に挿通させて着脱可能に保持される。つまり、上記保持部材９は上記収容部３の開口を横切る状態で設けられている。
【００１９】
それによって、上記収容部３内に充填された用土４は、上記収容部３の開口部に保持部材９によって保持された落下防止部材８によって上記収容部３内から落下するのが阻止される。
【００２０】
つまり、収容部３は岩石１の下面に開口して形成されているが、この収容部３内に充填された用土４が収容部３から脱落しないようになっている。なお、用土４は後述するように岩石１の上面に植物１３を着生させてから、上記収容部３に充填することが好ましい。
【００２１】
なお、上記保持部材９は、両端部が支持孔１１から外方へ突出しない長さに設定されている。
【００２２】
図１に示すように、上記岩石１の表面には植物１３が着生される。植物１３としてはセッコク類、蘭類、雪の下類、岩ヒバなどの草木が好適する。
【００２３】
上記植物１３を岩石１の表面に着生させる場合、その植物１３の複数の根１３ａを上記岩石１の表面に開口した通孔５を通して収容部３内に導入する。図３に拡大して示すように、根１３ａが通された通孔５には用土４を強めに充填し、その根１３ａを通孔５に保持する。通孔１３ａに充填する用土４は水苔が好ましい。なお、根１３ａが通されない通孔５にも用土４を充填しておくことが好ましい。
【００２４】
植物１３の根１３ａを岩石１に形成された通孔５に通し、その通孔５に用土４である水苔を充填してその根１３ａを保持すれば、植物１３の根１３ａが収容部３内の用土４に張る前であっても、その植物１３を岩石１の表面にふらつくようなことなく確実に保持することができる。
【００２５】
植物１３の根１３ａを通孔５に保持したならば、岩石１の収容部３に用土４を充填し、用土４を充填した後、その用土４が収容部３から落下しないよう、収容部３の開口部に落下防止部材８を保持部材９によって保持する。そして、上記岩石１は水受け皿１５に載置される。
【００２６】
このようにして植物１３を岩石１の表面に着生させれば、岩石１が自然の外観を呈するから、この岩石１に植物１３が着生した状態も自然の景観を呈することになる。したがって、植物１３が着生された岩石１は観賞用として十分な価値をもつことになる。
【００２７】
上記植物１３を岩石１に着生させた後、その植物１３から新たに成長する根１３ｂは、自力によって岩石１に形成された通孔５を通って収容部３内の用土４に入り込んだり、岩石１の表面に張り付いて成長することになる。
【００２８】
上記岩石１の表面に着生した植物１３に給水すると、その水は通孔５を通って収容部３内の用土４に達するばかりか、岩石１が通水性を有する多孔質材料によって形成されているため、通孔５以外の部分から含浸して収容部３内の用土４に達することになる。
【００２９】
つまり、岩石１の表面に給水すると、その水を収容部３内の用土４に確実に到達させることができるから、用土４の保水効果及び用土４に含まれる養分などによって植物１３を生育させることができる。
【００３０】
このように、岩石１に用土４が充填される収容部３を形成したことで、岩石１を従来のように用土が入れられた植木鉢などの上に置かずにすむから、外観的には上記岩石１だけを用いた状態で植物１３を育成することができる。そのため、岩石１の表面に植物１３が着生した自然の外観を損なうことなく、植物１３を育成及び観賞することができる。
【００３１】
岩石１に形成された収容部３の開口には落下防止部材８が保持部材９によって保持されている。そのため、岩石１を動かすなどしても、収容部３に充填された用土４が落下するのを防止することができるから、岩石１の取り扱いを容易に行なうことができる。つまり、岩石１の置き場所などを自由に移動させることができる。
【００３２】
しかも、岩石１に用土４を入れるための収容部３をくり貫いて形成したので、その分、岩石１を軽量化することができ、そのことによっても岩石１の取り扱いが容易となる。さらに、収容部３の開口部から保持部材１１及び落下防止部材８を容易に取り除くことができるから、収容部３内の用土４の交換や補充なども容易に行なうことができる。
【００３３】
図４と図５はこの発明の保持手段の他の実施の形態を示す。この実施の形態の保持手段７Ａは図４に示すように上記岩石１の収容部３を形成する周壁の下端部の所定方向に沿う両端部に内方に向かって形成された一対のフランジ部２１と、このフランジ部２１に両端部を係合させて保持された樹脂製のメッシュなど通水性及び通気性を備えたシート状の落下防止部材８によって構成されている。
【００３４】
上記落下防止部材８の剛性が低い場合、図４と図５に示すように落下防止部材８に鋼線や合成樹脂などによってロッド状に形成された複数の補強部材２２を格子状に組んで図示しないワイヤなどによって補強部材２２及び上記落下防止部材８を一体的に結束する。
【００３５】
上記補強部材２２の長さ寸法は図５にＬ１で示す一対のフランジ部２１の先端間の寸法よりも長く、しかも一対のフランジ部２１の奥行き間の寸法よりも短く設定されている。
【００３６】
したがって、上記保持手段７Ａは、補強部材２２の長手方向一端部を収容部３内に差し込んで一方のフランジ部２１に係合させた後、保持手段７Ａ全体を一方のフランジ部２１の内奥側へスライドさせて他端部を収容部３内に差し込んだ後、全体を他方のフランジ部２１側へスライドさせて上記補強部材２２の他端部を他方のフランジ部２１に係合させる。
【００３７】
つまり、補強部材２２の一端部と他端部をそれぞれ一角フランジ部２１の上面に係合させる。それによって、上記保持手段７Ａを上記岩石１の収容部３の開口部に着脱可能に保持することができる。
【００３８】
このような構成であっても、上記収容部３内に充填された用土４が収容部３内から落下するのを防止することができる。しかも、上記落下防止部材８を上記補強部材２２とともに、上記収容部３の開口部に対して着脱することができるから、収容部３内への用土４の出し入れを容易に行うこともできる。
【００３９】
なお、保持手段としては上記各実施の形態で説明した構造だけに限られず、図示はしないが、たとえば図４に示す岩石１の収容部３の開口端に形成されたフランジ部２１に鋼線などのロッド状の部材によって形成された外枠を着脱可能に係合させる。この外枠には内枠の一端部がヒンジによって回動可能に設けられ、この内枠は上記外枠にフックなどの係止手段によって回動不能に保持できるようにする。
【００４０】
上記内枠には樹脂やワイヤなどによって作られたメッシュなどの通水性及び通気性を備えたシート状の材料によって形成された落下防止部材を張設する。落下防止部材の剛性が低い場合、この落下防止部材を上記内枠に上方に凸状となるよう湾曲させて設けることで剛性を高める。それによって、収容部に収容された用土の重量によって下方へ上記落下防止部材が下方に撓まないようにすることが望ましい。
【００４１】
このような構成によれば、外枠を外さず、外枠に対する内枠の保持状態を解除してこの内枠を回動させれば、岩石の収容部に対して用土を出し入れすることができるから、便利である。
【符号の説明】
【００４２】
１…岩石、３…収容部、４…用土、５…通孔、７，７Ａ…保持手段、８…落下防止部材、９…保持部材、１１…支持孔、１３…植物、１３ａ，１３ｂ…根。
【図１】
2010207098.tif 000003
【図２】
2010207098.tif 000004
【図３】
2010207098.tif 000005
【図４】
2010207098.tif 000006
【図５】
2010207098.tif 000007
【手続補正書】
【提出日】平成21年3月13日(2009.3.13)
【手続補正１】
【補正対象書類名】明細書
【補正対象項目名】００３５
【補正方法】変更
【補正の内容】
【００３５】
上記補強部材２２の長さ寸法は図５に示すように一対のフランジ部２１の先端間の寸法よりも長く、しかも一対のフランジ部２１の奥行き間の寸法よりも短く設定されている。
【手続補正２】
【補正対象書類名】明細書
【補正対象項目名】００３７
【補正方法】変更
【補正の内容】
【００３７】
つまり、補強部材２２の一端部と他端部をそれぞれ一対のフランジ部２１の上面に係合させる。それによって、上記保持手段７Ａを上記岩石１の収容部３の開口部に着脱可能に保持することができる。